(57)【特許請求の範囲】
【請求項１】
横断歩道の歩行者を保護する横断歩道の歩行者安全システムであって、
横断歩道の入り口に設置され、歩行者信号灯の停止信号状態で安全線を基準に人の存在または通過を進入方向が判断できるように感知して歩行者進入方向識別部に信号を伝送する歩行者感知部と、
信号灯感知部または信号灯制御部からの信号を受け取り、歩行者信号灯が停止信号なのか歩行信号なのかを識別するための信号識別部と、
前記歩行者感知部からの信号を受け取り、歩行者が人道側から安全線に進入したのか或いは車道側から人道に進入したのかを識別する歩行者進入方向識別部と、
前記信号識別部で歩行者信号灯が停止信号であると識別した状態で、前記歩行者進入方向識別部で歩行者が人道側から安全線に進入したと判断すると、音響出力部を介して、入力されたそれに対応する案内音声または警告音が出力されるようにする制御部と、
前記制御部の制御に基づいて案内音声または警告音を出力する音響出力部とを含んでなり、
前記歩行者進入方向識別部は、
第１感知部が先に感知し且つ第２感知部が感知すると、歩行者が人道から安全線に進入したと判断し、歩行者が安全線に進入した状態で第２感知部が先に感知解除し且つ第１感知部が感知解除すると、歩行者が安全線から人道の方向に出てきたと判断し、第１感知部が先に感知解除し且つ第２感知部が感知解除すると、歩行者が安全線を越えて車道に進入したと判断し、歩行者が車道に進入した状態で第２感知部が先に感知し且つ第１感知部が感知すると、歩行者が車道から安全線に進入したと判断し、第２感知部が先に感知解除し且つ第１感知部が感知解除すると、歩行者が車道から安全線を通過して人道に出てきたと判断することを特徴とする、横断歩道の歩行者安全システム。
【請求項２】
前記制御部は、
前記信号識別部で歩行者信号灯が停止信号であると識別した状態で、前記歩行者進入方向識別部で歩行者が車道側から人道に進入したと判断すると、音響出力部を介して、入力されたそれに対応する案内音声または警告音が出力されるようにし或いは出力されないようにすることを特徴とする、請求項１に記載の横断歩道の歩行者安全システム。
【請求項３】
横断歩道の歩行者を保護する横断歩道の歩行者安全システムであって、
横断歩道の入り口に設置され、安全線を基準に人の存在または通過を感知する歩行者感知部と、
前記歩行者感知部からの信号を受け取り、歩行者が人道側から安全線に進入したのか或いは車道側から人道に進入したのかを識別する歩行者進入方向識別部と、
前記歩行者進入方向識別部で歩行者が人道側から安全線に進入したと判断すると、音響出力部を介して、入力されたそれに対応する案内音声または警告音が出力されるようにする制御部と、
前記制御部の制御に基づいて案内音声または警告音を出力する音響出力部とを含んでなり、
前記歩行者進入方向識別部は、
第１感知部が先に感知し且つ第２感知部が感知すると、歩行者が人道から安全線に進入したと判断し、歩行者が安全線に進入した状態で第２感知部が先に感知解除し且つ第１感知部が感知解除すると、歩行者が安全線から人道の方向に出てきたと判断し、第１感知部が先に感知解除し且つ第２感知部が感知解除すると、歩行者が安全線を越えて車道に進入したと判断し、歩行者が車道に進入した状態で第２感知部が先に感知し且つ第１感知部が感知すると、歩行者が車道から安全線に進入したと判断し、第２感知部が先に感知解除し且つ第１感知部が感知解除すると、歩行者が車道から安全線を通過して人道に出てきたと判断することを特徴とする、横断歩道の歩行者安全システム。
【請求項４】
前記制御部は、
前記歩行者進入方向識別部で歩行者が車道側から人道に進入したと判断すると、音響出力部を介して、入力されたそれに対応する案内音声または警告音が出力されるようにし或いは出力されないようにすることを特徴とする、請求項３に記載の横断歩道の歩行者安全システム。
【請求項５】
横断歩道の歩行者を保護する横断歩道の歩行者安全システムであって、
横断歩道の入り口に設置され、歩行者信号灯の停止信号状態で安全線を基準に人の存在または通過を感知するか或いは落葉を感知して感知持続時間チェック部に信号を伝送する歩行者感知部と、
信号灯感知部または信号灯制御部からの信号を受け取り、歩行者信号灯が停止信号なのか歩行信号なのかを識別する信号識別部と、
前記歩行者感知部からの信号を受け取り、前記歩行者感知部の感知持続時間をチェックする感知持続時間チェック部と、
前記感知持続時間チェック部からの信号を受け取り、歩行者感知部が落葉を感知したのか或いは歩行者の安全線への進入を感知したのかを識別する歩行者／落葉識別部と、
前記信号識別部で歩行者信号灯が停止信号であると識別した状態で、前記歩行者／落葉識別部で歩行者が安全線に進入したと識別すると、音響出力部を介して、それに対応する案内音声または警告音が出力されるようにする制御部と、
前記制御部の制御に基づいて案内音声または警告音を出力する音響出力部とを含んでなる、横断歩道の歩行者安全システム。
【請求項６】
前記歩行者／落葉識別部は、
感知持続時間チェック部の感知持続時間が設定した時間未満であれば、落葉を感知したと識別し、設定した時間以上であれば、歩行者が安全線に進入したと識別し、
前記制御部は、
歩行者／落葉識別部が落葉を感知したと識別すると、音響出力部を介して案内音声または警告音が出力されないようにすることを特徴とする、請求項５に記載の横断歩道の歩行者安全システム。
【請求項７】
前記歩行者／落葉識別部は、
感知持続時間チェック部の感知持続時間が設定した時間未満であれば、歩行者が車道から人道に進入したと識別し、
設定した時間以上であれば、歩行者が人道から安全線に進入したと識別し、
前記制御部は、
歩行者／落葉識別部で歩行者が車道から人道に進入したと識別すると、音響出力部を介して、それに対応する案内音声または警告音が出力されるようにし或いは出力されないようにすることを特徴とする、請求項５に記載の横断歩道の歩行者安全システム。
【請求項８】
前記感知持続時間チェック部は、
歩行者感知持続時間を３段階でチェックすることができるように、第１時間と第２時間をチェックすることをさらに含み、
前記歩行者／落葉識別部は、
感知持続時間チェック部の感知持続時間が設定した第１時間未満であれば、落葉を感知したと識別し、設定した第１時間と設定した第２時間との間であれば、歩行者が車道から人道に進入したと識別し、設定した第２時間以上であれば、歩行者が人道から安全線に進入したと識別し、
前記制御部は、
歩行者／落葉識別部で落葉を感知したと識別すると、音響出力部を介して案内音声または警告音が出力されないようにし、歩行者が車道から人道に進入したと識別すると、音響出力部を介して、それに対応する案内音声または警告音が出力されるようにし或いは出力されないようにし、歩行者が人道から安全線に進入したと識別すると、音響出力部を介して、それに対応する案内音声または警告音が出力されるようにすることを特徴とする、請求項５に記載の横断歩道の歩行者安全システム。
【請求項９】
横断歩道の歩行者を保護する横断歩道の歩行者安全システムであって、
横断歩道の入り口に設置され、安全線を基準に人の存在または通過を感知する歩行者感知部と、
前記歩行者感知部で歩行者を感知したときにそれに対応する案内音声または警告音が出力されるようにする制御部と、
前記制御部の制御に基づいて案内音声または警告音を出力する音響出力部と、
視覚障害者システムが視覚障害者音声案内中であるかを感知する視覚障害者システム音声案内感知部と、
前記視覚障害者システム音声案内感知部からの信号を受け取り、視覚障害者システムが音声案内中なのかそうでないのかを識別する視覚障害者システム音声案内有無識別部とをさらに含むことを特徴とする、請求項５に記載の横断歩道の歩行者安全システム。
【請求項１０】
前記制御部は、
前記視覚障害者システム音声案内有無識別部の音声案内中には、歩行者が安全線に進入したときの案内音声または警告音が出力されないようにすることを特徴とする、請求項９に記載の横断歩道の歩行者安全システム。
【発明の詳細な説明】
【技術分野】
【０００１】
本発明は、横断歩道に近接する歩行者を保護するためのシステムに関し、より詳しくは、歩行者感知部を介して、安全線を中心に歩行者が人道から安全線に進入したのか、車道から人道に進入したのかを判断することができるように感知し、進入方向に応じて異なる内容の案内音声および警告音を音響出力部から出力して事故を未然に予防することができるようにし、歩行者の感知と雪、雨、落葉などの感知とを識別してシステムの誤動作を予防することに関する。
【背景技術】
【０００２】
本発明は、横断歩道の歩行者安全システムに関するものである。一般に、車両が通う道路には、歩行者の横断のための横断歩道が設置され、横断歩道には、歩行者が横断可否を認知することができるように点灯信号を発生させる歩行者信号灯が備えられ、横断歩道の入り口の人道には、歩行者が安全に横断待ちをすることが可能な安全線が備えられている。
【０００３】
しかし、従来の横断歩道は、単に歩行者に横断歩道の信号が停止なのか歩行なのかの状況のみを認知するようにする信号機能のみを持っており、歩行者信号灯の停止信号状態で横断待ちをしている歩行者が安全線の外で安全に待機しなければならないが、多くの歩行者が無意識のうちに安全線内に進入したり、安全線を越えて車道にまで進入したりして待機している場合が多いため、安全事故が多いという問題点がある。
【０００４】
かかる問題点を解決するために、先行文献１の韓国特許出願番号１０−２００６−００３７７７０および同１０−２０１３−０１６８９３３の内容および図面によれば、一部の地域では、横断歩道の入り口に歩行者感知部（歩行者の進入方向が判断できない）を設置し、歩行者信号灯の停止信号状態で歩行者が安全線に進入することを感知すると（歩行者の進入方向が判断できない）「危険だから、後ろにお下がりください」と案内する装置が設置されている。
【０００５】
ところが、これを考察すると、前記歩行者感知部は、歩行者感知の際に、歩行者が人道側から安全線に進入したのか、車道側から人道に進入したのかが判断できず、どちらから進入したかを問わず、進入した事実だけを感知して、無条件に「危険だから、後ろにお下がりください」と案内する。
【０００６】
この場合、横断歩道の向こう側で、停止信号状態で信号を違反して歩行者が横断歩道を渡ってくるか、或いは歩行信号の最後のタイム部分に横断歩道を無理して渡ってくる途中で、横断歩道を完全に渡る前に歩行者信号灯が歩行信号から停止信号に変わると、歩行者が車道から人道に進入する瞬間に歩行者感知部が歩行者を感知する。この時、歩行者感知部は、歩行者が車道から人道に進入したことが判断できないので、一般な感知状態の案内音声である「危険だから、後ろにお下がりください」と案内する。
【０００７】
車道には多くの自動車が速い速度で走っているが、歩行者に後ろに下がって車道に再び進入するという意味なので、これは、歩行者に危険要因を誘発させる案内となる深刻な問題点がある。
【０００８】
また、雪、にわか雨、特に落葉が感知部位に降る場合、歩行者感知部は、これを感知して案内音声を出力するが、これに対する対策がないため、落葉などによるシステム誤動作が頻繁に発生するという問題点がある。
【０００９】
また、先行文献２の韓国特許出願番号１０−２００８−００７１９２８を考察すると、道路の横断歩道の入り口に支柱状に設置される警報器と、前記横断歩道から一定距離の前方に設置され、車両の近接状態を感知して前記警報器に制御信号を印加する車両感知部とを含み、前記警報器は、歩行者が前記横断歩道に近接しているか否かおよび横断しているか否かを区別して制御することができるように複数のセンサーを有する歩行者感知部から構成されている。
【００１０】
前記内容のうち、「前記警報器は、歩行者が前記横断歩道に近接しているか否かおよび横断しているか否かを区別して制御することができるように複数のセンサーを有する歩行者感知部」という記載があるが、前記「複数のセンサー」は、歩行者信号灯の停止信号状態で歩行者が人道から安全線に進入したのか、逆に車道から人道に進入したのかを感知および判断するのではなく、単純に歩行者が横断歩道の近接状態にあるのか横断歩道内にあるのかを感知して発光灯の明るさを調整するものである。
【００１１】
このような「複数のセンサー」を利用するとしても、歩行者信号灯の停止信号状態で歩行者が人道から安全線に進入したのか、逆に車道から人道に進入したのかを感知および判断できず、歩行者感知と落葉感知を区分することができないので、前記先行文献１で指摘した問題点と同様の問題点がある。
【００１２】
また、先行文献３の韓国特許出願番号１０−２０１４−００３７１３１には、制御ユニット、歩行者を探知して制御ユニットへ伝送する少なくとも２つのレーザー探知ユニット、制御ユニットに歩行信号を伝達することが可能な外部信号ユニット、制御ユニットの制御に基づいて定められた方向に警告信号を発生させることが可能な警告信号ユニット、および監視領域の映像を獲得するための映像監視ユニットを含んでなり、
前記２つのレーザー探知ユニットは、前記歩行者に対する互いに異なる位置情報を取得し、前記制御ユニットは、前記互いに異なる位置情報に基づいて歩行者の状態を判断して前記警告信号ユニットを制御し、前記警告信号ユニットは、少なくとも２つの視覚信号ユニットを含み、前記視覚信号ユニットは、方向制御が可能な光信号ユニットになることを特徴とする知能型横断歩道歩行者保護装置が開示されている。
【００１３】
前記内容のうち、「歩行者を探知して制御ユニットへ伝送する少なくとも２つのレーザー探知ユニット」という記載と、「前記２つのレーザー探知ユニットは、前記歩行者に対する互いに異なる位置情報を取得し」という記載があるが、図面を参照して詳細を見てみると、前記「２つのレーザー探知ユニット」は、歩行者信号灯の停止信号状態で歩行者が人道から安全線に進入したのか、逆に車道から歩道に進入したのかを感知および判断するのではなく、単に歩行者が横断歩道から近くに位置するのか、少し離れて位置するのかを感知し、それに応じる視覚信号を制御するものであり、
このような「２つのレーザー探知ユニット」を利用するとしても、歩行者信号灯の停止信号状態で歩行者が人道から安全線に進入したのか、逆に車道から人道に進入したのかを感知および判断することができず、歩行者の感知と落葉の感知とを区分することができないので、前記先行文献１で指摘した問題点と同様の問題点がある。
【発明の概要】
【発明が解決しようとする課題】
【００１４】
本発明の一実施例に係る横断歩道の歩行者安全システムは、従来で使用されたシステムの問題点を解決し、従来のシステムとは異なる新しい概念のシステムを提供することを課題とする。
【００１５】
これを解決するためには、歩行者信号灯の停止信号状態で歩行者が安全線を中心に人道から安全線に進入したのか、車道から人道に進入したかのかを感知および判断して、歩行者が人道から安全線に進入したと判断されると、音響出力部を介して「危険だから、後ろにお下がりください」と案内し、歩行者が車道から人道に進入したと判断されると、それに合わせて「交通信号を守りましょう」と案内するなど、進入方向に応じて案内音声が出力されなければならない。
【００１６】
また、歩行者の感知と雪、雨、落葉などの感知とを区分し、目、雨、落葉が感知される場合には案内音声が出力されてはならない。
【課題を解決するための手段】
【００１７】
上記の課題を解決するための、本発明の一実施例に係る横断歩道の歩行者安全システムは、横断歩道の歩行者を保護する横断歩道の歩行者安全システムであって、
横断歩道の入り口に設置され、歩行者信号灯の停止信号状態で安全線を基準に人の存在または通過を進入方向が判断することができるように感知して歩行者進入方向識別部に信号を伝送する歩行者感知部と、
信号灯感知部または信号灯制御部からの信号を受け取り、歩行者信号灯が停止信号なのか歩行信号なのかを識別するための信号識別部と、
前記歩行者感知部からの信号を受け取り、歩行者が人道側から安全線に進入したのか或いは車道側から人道に進入したのかを識別する歩行者進入方向識別部と、
前記信号識別部で歩行者信号灯が停止信号であると識別した状態で、前記歩行者進入方向識別部で歩行者が人道側から安全線に進入したと判断すると、音響出力部を介して入力されたそれに対応する案内音声または警告音が出力されるようにする制御部と、
前記制御部の制御に基づいて案内音声または警告音を出力する音響出力部とを含んでなり、
前記歩行者感知部は、車道を中心に横断歩道の両側にそれぞれ設置されるが、人道側に位置し、歩行者が人道から安全線に進入することを判断することができるように先に感知する第１感知部と、車道側に位置し、歩行者が車道から人道に進入することを判断することができるように先に感知する第２感知部とからなり、
前記制御部は、歩行者信号灯の停止信号状態で第１感知部または第２感知部の感知持続時間が設定した時間未満であれば、歩行者を感知しなかったと判断し、設定した時間以上であれば、歩行者を感知したと判断することを特徴とする。
【００１８】
また、本発明の一実施例に係る横断歩道の歩行者安全システムは、前記第１感知部が、赤外線センサーであって、両方のうちのいずれか一方に形成される第１感知発光部と、前記第１感知発光部の反対側に、前記第１感知発光部に対応できるように設置される第１感知受光部とからなり、
前記第２感知部は、前記第１感知部と平行に設置される赤外線センサーであって、両方のうちのいずれか一方に形成される第２感知発光部と、前記第２感知発光部の反対側で前記第２感知発光部に対応できるように設置される第２感知受光部とからなることを特徴とする。
【００１９】
また、本発明の一実施例に係る横断歩道の歩行者安全システムは、前記歩行者進入方向識別部が、前記第１感知部が第２感知部よりも先に感知すると、歩行者が人道から安全線に進入したと判断し、前記第２感知部が第１感知部よりも先に感知すると、歩行者が車道から人道に進入したと判断することを特徴とする。
【００２０】
また、本発明の一実施例に係る横断歩道の歩行者安全システムは、
前記歩行者感知部が、
車道を中心に横断歩道の両側にそれぞれ設置されるが、
人道側に位置し、歩行者が人道から安全線に進入したことを判断することができるように先に感知する第３感知部と、
車道側に位置し、歩行者が車道から人道に進入したことを判断することができるように先に感知する第４感知部とをさらに含み、
前記歩行者進入方向識別部は、歩行者信号灯の停止信号状態で前記第１感知部と第３感知部が第２感知部と第４感知部よりも先に感知すると、歩行者が人道から安全線に進入したと判断し、或いは、第２感知部と第４感知部が第１感知部と第３感知部よりも先に感知すると、歩行者が車道から人道に進入したと判断し、
前記制御部は、歩行者信号灯の停止信号状態で前記第１感知部、第２感知部、第３感知部および第４感知部のうちのいずれかが感知すると、歩行者を感知しなかったと判断し、第１感知部と第３感知部が同時に感知し、或いは第２感知部と第４感知部が同時に感知すると、歩行者を感知したと判断することを特徴とする。
【００２１】
上記の課題を解決するために、本発明の一実施例に係る横断歩道の歩行者安全システムは、横断歩道の歩行者を保護する横断歩道の歩行者安全システムであって、
横断歩道の入り口に設置され、歩行者信号灯の停止信号状態で安全線を基準に人の存在または通過を感知し或いは落葉を感知して感知持続時間チェック部に信号を伝送する歩行者感知部と、
信号灯感知部または信号灯制御部からの信号を受け取り、歩行者信号灯が停止信号なのか歩行信号なのかを識別する信号識別部と、
前記歩行者感知部からの信号を受け取り、前記歩行者感知部の感知持続時間をチェックする感知持続時間チェック部と、
前記感知持続時間チェック部からの信号を受け取り、歩行者感知部が落葉を感知したのか或いは歩行者の安全線への進入を感知したのかを識別するための歩行者／落葉識別部と、
前記信号識別部で歩行者信号灯が停止信号であると識別した状態で、前記歩行者／落葉識別部で歩行者が安全線に進入したと識別すると、音響出力部を介して、それに対応する案内音声または警告音が出力されるようにする制御部と、
前記制御部の制御に基づいて案内音声または警告音を出力する音響出力部と、を含んでなることを特徴とする。
【００２２】
また、本発明の一実施例に係る横断歩道の歩行者安全システムは、前記歩行者／落葉識別部が、感知持続時間チェック部の感知持続時間が設定した時間未満であれば落葉を感知した識別し、設定した時間以上であれば歩行者が安全線に進入したと識別し、
前記制御部は、歩行者／落葉識別部が落葉を感知したと識別すると、音響出力部を介して案内音声または警告音が出力されないようにすることを特徴とする。
【発明の効果】
【００２３】
上述したように、本発明の一実施例に係る横断歩道の歩行者安全システムによれば、歩行者信号灯の停止信号状態で歩行者が横断歩道の入り口の人道に設置された安全線の外で安全に横断待ちをしなければならないが、そうでなくて、安全線内に進入した或いは車道に進入した歩行者を感知して「危険だから、後ろにお下がりください」と案内し、また、信号違反および信号の変わり目に無理して横断する歩行者を感知して「交通信号を守りましょう」と案内するなど、警告案内をすることにより、歩行者が安全に横断待ちをするように或いは交通信号を守るようにする効果がある。
【００２４】
また、歩行者信号灯の停止信号状態で信号を違反したり、歩行者信号灯の歩行信号状態で信号が少ししか残っていないのに無理して横断したりして、歩行者信号灯が停止信号に変わった後に人道に進入する歩行者を感知するときは、「交通信号を守りましょう」などの警告案内または案内音声を出力しないように制御して、急いで渡ってくる歩行者が慌てることなく安全に人道に進入できるようにし、
また、歩行者の感知と雪、雨、落葉の感知とを識別して、雪、雨、落葉が感知されたときに案内音声を出力しないので、システムの誤動作を予防することができるという効果がある。
【図面の簡単な説明】
【００２５】
【図１】図１は、従来の歩行者感知部を示す概略図である。
【図２】図２は、本発明の一実施例に係る横断歩道の歩行者安全システムを示す概略図である。
【図３】図３は、本発明の一実施例に係る横断歩道の歩行者安全システムを示すブロック図である。
【図４】図４Ａは、本発明の一実施例に係る赤外線センサー歩行者感知部を示す斜視図である。図４Ｂは、図４Ａの平面図である。
【図５】図５Ａは、本発明の一実施例に係る赤外線センサー歩行者感知部の他の方法を示す斜視図である。図５Ｂは、図５Ａの平面図である。図５Ｃは、図５Ａの正面図である。図５Ｄは、図５Ａを横断歩道の双方向に設置した様子を示す斜視図である。
【図６】図６Ａは、本発明の一実施例に係る赤外線センサー歩行者感知部を示す概略図である。図６Ｂは、図６Ａの歩行者方向の感知を示す断面図である。
【図７】図７Ａは、本発明の一実施例に係る赤外線センサー歩行者感知部の他の方法を示す概略図である。図７Ｂは、図７Ａの歩行者方向の感知を示す図である。
【図８】図８Ａ、Ｂ、Ｃは、本発明の一実施例に係る信号灯感知部示す概略図である。
【図９】図９は、本発明の一実施例に係る横断歩道の歩行者安全システムの他の方法を示すブロック図である。
【図１０】図１０は、本発明の一実施例に係る横断歩道の歩行者安全システムの他の方法を示す概略図である。
【発明を実施するための形態】
【００２６】
以下、添付図面を参照して、本発明の一実施例に係る横断歩道の歩行者安全システムを詳細に説明する。
ただし、本発明の好適な実施例を詳細に説明するにあたり、関連した公知の機能または構成についての具体的な説明が本発明の要旨を不要に曖昧にするおそれがあると判断される場合には、その詳細な説明を省略する。
これに加えて、明細書全体において、ある部分が他の部分に「連結」されているとするとき、これは、「直接的に連結」されている場合だけではなく、それらの間に別の素子を挟んで「間接的に連結」されている場合も含む。
【００２７】
説明する実施例は、本発明の技術思想を当業者が容易に理解し得るように提供されるもので、本発明を限定するものではない。また、添付図面に示されている事項は、本発明の実施例を容易に説明するために図式化された図面で実際に実現される形態とは異なることがある。
一方、ある構成要素を「含む」という表現は、「開放型の表現」であって、当該構成要素が存在することを単に指し示す表現であり、追加の構成要素を排除するものと理解されてはならない。
また、「第１」、「第２」、「第３」、「第４」などの用語は、様々な構成要素を説明するために使用できるが、これらの用語は、一つの構成要素を他の構成要素から区別する目的のみで使用され、これらの構成要素の属性を限定するものではない。
後述される用語は、本発明における機能を考慮して定義された用語であって、これは、ユーザー、運用者の意図または慣例によって変わりうる。よって、これらの用語に対する定義は、本明細書全般にわたった内容に基づいて下されるべきである。
【００２８】
以下、添付図面を参照して、本発明に係る横断歩道の歩行者安全システムの一実施例を詳細に説明する。
【００２９】
本発明において、「歩行者感知部」とは、横断歩道の入り口の人道の安全線に設置され、歩行者が人道から安全線に進入したのかを感知するか、或いは歩行者が車道から人道側に進入したのかを感知する、すなわち安全線を中心に人道側と車道側のうちのどちら側から進入したのかを判断することができるように感知するものであって、赤外線双方向センサー、レーザー双方向センサーなどをいう。安全線を中心に人道側から接近したのか車道側から接近したのかを判断することができるように感知する、または方向を問わずに歩行者が安全線に進入したことを感知する、または感知区域の落葉を感知するすべての装置は、歩行者感知部に該当するといえる。
【００３０】
また、本発明において、「信号灯感知部」とは、歩行者信号灯の信号が赤色信号なのか青色信号なのかを判断するための感知部であって、様々な方法がある。歩行者信号灯の信号が赤色信号なのか青色信号なのかを判断するためのすべての感知装置は、信号灯感知部に該当するといえる。
【００３１】
また、本発明において、「信号灯制御部」とは、交通信号灯または歩行者信号灯を制御する、既に設置されている信号灯制御部をいう。
【００３２】
また、本発明において、「制御部」とは、歩行者感知部の信号に応じて音響出力部をコントロールし、各部を制御する制御部をいう。
【００３３】
また、本発明において、「信号識別部」とは、信号灯感知部または信号灯制御部からの信号を受け取り、歩行者信号灯が停止信号なのか歩行信号なのかを識別するものをいう。
【００３４】
また、本発明において、「歩行者進入方向識別部」とは、歩行者感知部からの信号を受け取り、歩行者が人道側から安全線に進入したのか或いは車道側から人道に進入したのかを判断する識別部をいう。
【００３５】
また、本発明において、「安全線」とは、歩行者が安全に信号待ちをする一種の待機線であって、歩行者感知部の感知区域をいう。
【００３６】
また、本発明において、「停止信号」とは、歩行者信号灯の赤色信号をいい、「歩行信号」とは、歩行者が横断歩道を歩行する歩行者信号灯の青色信号をいう。
【００３７】
また、本発明において、「感知持続時間チェック部」とは、歩行者感知部が歩行者または落葉を感知したときに持続する感知時間をチェックするものをいう。
【００３８】
また、本発明において、「歩行者／落葉識別部」とは、歩行者感知部が感知したオブジェクトが歩行者なのか落葉なのかを識別するものをいう。
【００３９】
図１は従来の歩行者感知部を示す概略図、図２は本発明の一実施例に係る横断歩道の歩行者安全システムを示す概略図、図３は本発明の一実施例に係る横断歩道の歩行者安全システムを示すブロック図、図４Ａは本発明の一実施例に係る赤外線センサー歩行者感知部を示す斜視図、図４Ｂは図４Ａの平面図である。
【００４０】
まず、図１を参照すると、一部の地域に設置されているもので、横断歩道に設置され、歩行者が横断歩道に進入する場合に歩行者を感知する歩行者一般感知部２０−１（歩行者の進入方向が判断できない）が形成されている。
【００４１】
歩行者が安全線１５に進入すると、赤外線２０−２によって歩行者が感知されるようにするものであって、感知部２０−１が一般的な感知部であるから、安全線１５を中心に歩行者が人道１１から安全線１５に進入したのか車道１０から人道１１に進入したのかを判断することができず、単純感知のみを行い、感知したオブジェクトが歩行者なのか落葉なのかを識別することができないので、前記「背景技術の先行文献１」で指摘したような問題点がある。
【００４２】
（実施例１）
図２乃至図４を参照すると、車道１０の横断歩道１３と人道１１との境界線地点の人道１１に、歩行者信号灯１２の停止信号状態で歩行者が安全に信号待ちをすることができるように安全線１５が形成されており、通常の歩行者は、歩行者信号灯１２の信号が停止信号である場合、人道１１の安全線１５の外に待機しており、歩行者信号灯１２が歩行信号に変わったら横断歩道１３を渡るのである。
【００４３】
しかし、一部の歩行者は、歩行者信号灯１２の停止信号状態で、自分も知らないうちに、無意識的に安全線１５に進入しており、その一部は安全線１５を越えて車道１０にまで進入して信号待ちをする歩行者があって、交通事故の危険性を内包している。
【００４４】
本発明に係る横断歩道の歩行者を保護する横断歩道の歩行者安全システムは、横断歩道１３の入口に設置され、歩行者信号灯１２の停止信号状態で安全線１５を基準に人の存在または通過を進入方向が判断できるように感知して歩行者進入方向識別部４３に信号を伝送する歩行者感知部２０と、
信号灯感知部５０または信号灯制御部６２からの信号を受け取り、歩行者信号灯１２が停止信号なのか歩行信号なのかを識別するための信号識別部４２と、
前記歩行者感知部２０からの信号を受け取り、歩行者が人道１１側から安全線１５に進入したのか或いは車道１０側から人道１１に進入したのかを識別する歩行者進入方向識別部４３と、
前記信号識別部４２で歩行者信号灯１２が停止信号であると識別した状態で、前記歩行者感知部２０で歩行者が人道１１側から安全線１５に進入したと判断すると、音響出力部４０を介して、入力されたそれに対応する案内音声または警告音が出力されるようにする制御部４１と、
前記制御部４１の制御に基づいて案内音声または警告音を出力する音響出力部４０と、を含んでなり、
前記歩行者感知部２０は、車道１０を中心に横断歩道１３の両側にそれぞれ設置されるが、人道１１側に位置し、歩行者が人道１１から安全線１５に進入することを判断することができるように先に感知する第１感知部２１と、車道１０側に位置し、歩行者が車道１０から人道１１に進入することを判断することができるように先に感知する第２感知部２２とからなり、
前記制御部４１は、歩行者信号灯１２の停止信号状態で、第１感知部２１または第２感知部２２の感知持続時間が設定した時間未満であれば、歩行者を感知しなかったと判断し、設定した時間以上であれば、歩行者を感知したと判断する。
【００４５】
また、前記制御部４１は、信号灯感知部５０または信号灯制御部６２または歩行者感知部２０からの信号を受信する信号受信部４１−１、歩行者感知部２０の信号によって歩行者進入方向を判断する進入方向判断部４１−２、前記進入方向判断部４１−２の判断によってそれに対応する案内音声を出力するようにする音響出力指示部４１−３、および歩行者感知部２０の感知持続時間をチェックする感知持続時間チェック部４１−４からなる。
【００４６】
さらに詳しくは、歩行者感知部２０は、赤外線双方向センサー（図６）２０ａであって、安全線１５の両方のうちのいずれか一方に第１感知発光部２１ｈおよび第２感知発光部２２ｈを形成し、第１感知発光部２１ｈおよび第２感知発光部２２ｈの反対側に、前記第１感知発光部２１ｈおよび第２感知発光部２２ｈにそれぞれ対応する第１感知受光部２１ｋおよび第２感知受光部２２ｋを形成して、平常の際に第１感知発光部２１ｈおよび第２感知発光部２２ｈから赤外線２１ａ、２２ａを伝送すると、第１感知受光部２１ｋおよび第２感知受光部２２ｋでこれを受信している状態で、歩行者が第１感知発光部２１ｈおよび第２感知発光部２２ｈと第１感知受光部２１ｋおよび第２感知受光部２２ｋとの間に進入すると、歩行者により赤外線２１ａ、２２ａが遮断されるため歩行者が進入したことを感知する。
【００４７】
このとき、第１感知発光部２１ｈおよび第２感知発光部２２ｈと第１感知受光部２１ｋおよび第２感知受光部２２ｋをそれぞれ支柱１４の上端に形成し、その下に音響出力部４０、制御部４１を形成して設置することが好ましい。
【００４８】
また、歩行者が安全線１５を中心に、人道１１から安全線１５に進入したのか或いは車道１０から人道１１に進入したのかを判断するために、横断歩道１３の両側に、人道１１側に位置する第１感知部２１、２１ｈ、２１ｋと車道１０側に位置する第２感知部２２、２２ｈ、２２ｋがそれぞれ設置されるが、歩行者が歩行者感知部２０を介して感知されるとき、第２感知部２２、２２ｈ、２２ｋよりも第１感知部２１、２１ｈ、２１ｋが先に感知してその信号を歩行者進入方向識別部４３に伝送すると、歩行者進入方向識別部４３は、歩行者が人道１１から安全線１５に進入したと判断し、逆に第１感知部２１、２１ｈ、２１ｋよりも第２感知部２２、２２ｈ、２２ｋが先に感知してその信号を歩行者進入方向識別部４３に伝送すると、歩行者進入方向識別部４３は、歩行者が車道１０から人道１１に進入したと判断する。
【００４９】
感知および判断した信号を制御部４１に伝送すると、制御部４１は、前記信号識別部４２で歩行者信号灯１２が停止信号であると識別した状態で、前記歩行者進入方向識別部４３で歩行者が人道１１側から安全線１５に進入したと判断すると、音響出力部４０を介して、入力されたそれに対応する案内音声または警告音が出力されるようにし、
前記信号識別部４２で歩行者信号灯１２が停止信号であると識別した状態で、前記歩行者進入方向識別部４３で歩行者が車道１０側から人道１１に進入したと判断すると、音響出力部４０を介して、入力されたそれに対応する案内音声または警告音が出力されるようにし或いは出力されないようにすることを特徴とする。
【００５０】
歩行者が歩行者信号灯１２の停止信号状態で車道１０から人道１１に進入したと判断されるとき、「危険だから、後ろにお下がりください」と案内すると、歩行者が慌ててたじろぐが、この時、歩行者が慌てることなく安全に人道１１の安全なところに速く進入できるように案内音声が音響出力部４０を介して出力されないように制御する。
【００５１】
また、前記制御部４１は、歩行者信号灯１２の歩行信号状態では、前記歩行者を歩行者感知部２０が感知しないか或いは感知する場合には、歩行者感知部２０の信号に応じた案内音声が音響出力部４０を介して出力されるようにし或いは出力されないように制御することができる。
【００５２】
また、歩行者感知部２０が歩行者を感知するにあたり、第１感知部２１が先に感知し、好ましくは１秒内に第２感知部２２が感知しなくても、歩行者が人道１１から安全線１５に進入して、第２感知部２２に感知される前に歩行者が止まった状態であるため、この場合にも、歩行者が人道１１から安全線１５に進入したと感知および判断し、歩行者が感知区域に止まっているか通り過ぎた場合にも、安全線１５に進入したと感知および判断する。
【００５３】
また、歩行者進入方向識別部４３は、第１感知部２１が先に感知し且つ第２感知部２２が感知すると、歩行者が人道１１から安全線１５に進入したと判断し、歩行者が安全線１５に進入した状態で第２感知部２２が先に感知解除し且つ第１感知部２１が感知解除すると、歩行者が安全線１５から人道１１の方向に出てきたと判断し、第１感知部２１が先に感知解除し且つ第２感知部２２が感知解除すると、歩行者が安全線１５を越えて車道１０に進入したと判断し、歩行者が車道１０に進入した状態で第２感知部２２が先に感知し且つ第１感知部２１が感知すると、歩行者が車道１０から安全線１５に進入したと判断し、第２感知部２２が先に感知解除し且つ第１感知部２１が感知解除すると、歩行者が車道１０から安全線１５を通過して人道１１に出てきたと判断するようにすることができる。
【００５４】
また、制御部４１または音響出力部４０は、歩行者感知部の支柱１４に一体に形成し、または歩行者信号灯１２の支柱に形成し、または別途の支柱に形成して設置することができる。
【００５５】
また、信号識別部４２は、歩行者信号灯１２が停止信号なのか歩行信号なのかを識別するための役目をし、ハードウェア的またはソフトウェア的に処理することができ、制御部４１内に一体に形成する、或いは信号灯感知部５０内に一体に形成する、或いは信号灯制御部６２内に一体に形成する、或いは制御部４１、信号灯感知部５０、信号灯制御部６２とは別に外部に形成することができる。
【００５６】
また、歩行者進入方向識別部４３は、歩行者感知部２０からの信号を受け取り、歩行者が安全線１５を中心に車道１０と人道１１の両方のうちのどちら側から進入したのかを識別する役目をし、歩行者進入方向識別部４３は、ハードウェア的またはソフトウェア的に処理することができ、制御部４１内に一体に形成する、或いは歩行者感知部２０内に一体に形成する、或いは制御部４１と歩行者感知部２０とは別に外部に形成することができるだろう。
【００５７】
また、歩行者信号灯１２が停止信号なのか歩行信号なのかの信号を制御部４１に伝送することは、信号灯感知部５０の代わりに、交通信号灯および歩行者信号灯１２を制御する、既に設置されている信号灯制御部６２から制御部４１に直接伝送することにより行われる。信号灯制御部６２が歩行者信号灯１２に歩行信号および停止信号を指示し、前記歩行信号および停止信号をそのまま制御部４１に伝送する場合にも、信号灯制御部６２または制御部４１で信号識別部４２が信号を識別したものと見なすべきである。
【００５８】
また、各部と部との通信は、有線または無線で通信するようにすることができる。図５Ａは本発明の一実施例に係る赤外線センサー歩行者感知部の他の方法を示す斜視図、図５Ｂは図５Ａの平面図、図５Ｃは図５Ａの正面図、図５Ｄは図５Ａを横断歩道の双方向に設置した様子を示す斜視図である。図５Ａ乃至図５Ｄを参照すると、次のとおりある。
【００５９】
図２乃至図４の場合、落葉が第１感知部２１および第２感知部２２のいずれか一方に落ちる場合、歩行者感知部２０は、これを感知して案内メッセージを出力する。
【００６０】
図２乃至図４とは異なり、歩行者が人道１１から安全線１５に進入したのか車道１０から人道１１に進入したのかを判断するのはもとより、雪や落葉などから歩行者感知エラーを防止するために、図５Ａ乃至図５Ｄに示すように、歩行者感知部２０は、
車道１０を中心に横断歩道１３の両側にそれぞれ設置されるが、人道１１側に位置し、歩行者が人道１１から安全線１５に進入したことを判断することができるように先に感知する第３感知部２３と、
車道１０側に位置し、歩行者が車道１０から人道１１に進入することを判断することができるように先に感知する第４感知部２４とをさらに含み、
前記歩行者進入方向識別部４３は、歩行者信号灯１２の停止信号状態で前記第１感知部２１および第３感知部２３が第２感知部２２および第４感知部２４よりも先に感知すると、歩行者が人道１１から安全線１５に進入したと判断し、或いは、第２感知部２２および第４感知部２４が第１感知部２１および第３感知部２３よりも先に感知すると、歩行者が車道１０から人道１１に進入したと判断する。
【００６１】
また、前記制御部４１は、歩行者信号灯１２の停止信号状態で前記第１感知部２１、第２感知部２２、第３感知部２３および第４感知部２４のいずれか一つが感知すると、歩行者を感知しなかったと判断し、第１感知部２１と第３感知部２３が同時に感知するか、或いは第２感知部２２と第４感知部２４が同時に感知すると、歩行者を感知したと判断する。
【００６２】
これについての詳細な説明は図２乃至図４で説明したのと同様である（重複説明を避けるために省略する。）
【００６３】
図６Ａは本発明の一実施例に係る赤外線センサー歩行者方向感知センサーを示す概略図、図６Ｂは図６Ａの歩行者方向の感知を示す断面図、図７Ａは本発明の一実施例に係る赤外線センサー歩行者感知部の他の方法を示す概略図、図７Ｂは図７Ａの歩行者方向の感知を示す断面図である。図６Ａ、図６Ｂ、図７Ａおよび図７Ｂは図２乃至図５の説明と同様である（重複説明を避けるために省略する。）。
【００６４】
図８Ａ、ＢおよびＣは本発明の一実施例に係る信号灯感知部を示す概略図である。図８Ａ、ＢおよびＣを参照すると、次のとおりである。
前記信号灯感知部５０は、信号灯電源ケーブル６１にカップリング５１を形成して電磁波を通じた電気の流れを感知して歩行者信号灯１２の点灯有無を感知するもの、信号灯第１感知発光部６０に信号灯照明センサー感知部５２を形成して歩行者信号灯１２の点灯有無を感知するもの、信号灯電源ケーブル６１に直接連結５３して歩行者信号灯１２の点灯有無を感知するもの、信号灯の信号時間をチェック（図示せず）して信号灯の点灯有無を感知するもの、視覚障害者向け案内放送制御部に連結して（図示せず）信号灯の点灯有無を感知するもの、信号残余時間表示制御部に連結して（図示せず）信号灯の点灯有無を感知するもの、信号灯制御部から信号灯に伝送される信号灯点灯有無信号を感知して（図示せず）信号灯の点灯有無を感知するもののうちのいずれかであることを特徴とする。
【００６５】
また、図２乃至図８には、夜間に歩行者が横断歩道を通行するときに横断歩道を照らす照明部（図示せず）や、夜間に照明を点灯できるようにするための照度感知部（図示せず）をさらに含むことができ、前記照明部は、夜間に前記信号灯の進行信号状態で歩行者が人道から車道に進入することを歩行者感知部２０で感知すると、照明部が点灯し、前記人道から車道に進入した歩行者が車道１０から人道１１へ出て行ったことを車道進入反対側の歩行者感知部２０で感知すると、照明部が消灯するようにする。
【００６６】
（実施例２）
実施例１とは異なる一実施例であって、非信号横断歩道、たとえば学校の前の裏側道路などの場合、歩行信号灯がないため、歩行信号灯の点灯を問わずに、歩行者が横断歩道に進入すると歩行者感知部２０が歩行者を感知して運営されるシステムであって、
横断歩道の歩行者を保護する横断歩道の歩行者安全システムにおいて、
横断歩道の入り口に設置され、安全線１５を基準に人の存在または通過を感知する歩行者感知部２０と、
前記歩行者感知部２０からの信号を受け取り、歩行者が人道１１側から安全線１５に進入したのか或いは車道１０側から人道１１に進入したのかを識別する歩行者進入方向識別部４３と、
前記歩行者進入方向識別部４３で歩行者が人道１１側から安全線１５に進入したと判断すると、音響出力部４０を介して、入力されたそれに対応する案内音声または警告音が出力されるようにする制御部４１と、
前記制御部４１の制御に基づいて案内音声または警告音を出力する音響出力部４０とを含んでなり、
前記歩行者感知部２０は、車道１０を中心に横断歩道１３の両側にそれぞれ設置されるが、
人道１１側に位置し、歩行者が人道１１から安全線１５に進入することを判断することができるように先に感知する第１感知部２１と、
車道１０側に位置し、歩行者が車道１０から人道１１に進入することを判断することができるように先に感知する第２感知部２２とからなり、
前記制御部４１は、第１感知部２１または第２感知部２２の感知持続時間が設定した時間未満であれば、歩行者を感知しなかったと判断し、設定した時間以上であれば、歩行者を感知したと判断することを特徴とする。
【００６７】
また、前記制御部４１は、歩行者進入方向識別部４３で歩行者が人道１１側から安全線１５に進入したと判断すると、音響出力部４０を介して、入力されたそれに対応する案内音声または警告音が出力されるようにし、
前記歩行者進入方向識別部４３で歩行者が車道１０側から人道１１に進入したと判断すると、音響出力部４０を介して、入力されたそれに対応する案内音声または警告音が出力されるようにし或いは出力されないようにすることを特徴とする。
【００６８】
また、前記歩行者進入方向識別部４３は、前記第１感知部２１が第２感知部２２よりも先に感知すると、歩行者が人道１１から安全線１５に進入したと判断し、前記第２感知部２２が第１感知部２１よりも先に感知すると、歩行者が車道１０から人道１１に進入したと判断することを特徴とする。
【００６９】
これについての詳細な説明は実施例１で説明したのと同様である（重複説明を避けるために省略する）。
【００７０】
（実施例３）
図９は本発明の一実施例に係る横断歩道の歩行者安全システムの他の方法のブロック図、図１０は本発明の一実施例に係る横断歩道の歩行者安全システムの他の方法を示す概略図である。実施例３は、歩行者感知部２０が感知した雪、雨、落葉などによるシステム誤作動を防止するためのものである。
【００７１】
図９および図１０を参照すると、横断歩道の歩行者を保護する横断歩道の歩行者安全システムにおいて、
横断歩道１３の入口に設置され、歩行者信号灯１２の停止信号状態で安全線１５を基準に人の存在または通過を感知するか或いは落葉を感知して感知持続時間チェック部８０に信号を伝送する歩行者感知部２０と、
信号灯感知部５０または信号灯制御部６２からの信号を受け取り、歩行者信号灯１２が停止信号なのか歩行信号なのかを識別するための信号識別部４２と、
前記歩行者感知部２０からの信号を受け取り、前記歩行者感知部２０の感知持続時間をチェックする感知持続時間チェック部８０と、
前記感知時間チェック部８０からの信号を受け取り、歩行者感知部２０が落葉を感知したのか或いは歩行者の安全線１５への進入を感知したのかを識別する歩行者／落葉識別部７０と、
前記信号識別部４２で歩行者信号灯１２が停止信号であると識別した状態で、前記歩行者／落葉識別部７０で歩行者が安全線１５に進入したと識別すると、音響出力部４０を介して、それに対応する案内音声または警告音が出力されるようにする制御部４１と、
前記制御部４１の制御に基づいて案内音声または警告音を出力する音響出力部４０とを含むことを特徴とし、
また、前記歩行者／落葉識別部７０は、感知持続時間チェック部８０の感知持続時間が設定した時間未満であれば、落葉を感知したと識別し、設定した時間以上であれば、歩行者が安全線に進入したと識別し、
前記制御部４１は、歩行者／落葉識別部７０が落葉を感知したと識別すると、音響出力部４０を介して案内音声または警告音が出力されないようにしなければならない。
【００７２】
前記設定した時間とは、例えば、時間を２秒に設定しておいたと仮定するとき、落葉が落ちながら歩行者感知部２０の感知区間を通過する時間は２秒未満であり、歩行者が安全線１５に進入した状態を感知する場合は感知時間が２秒以上である。よって、すなわち、歩行者感知部２０がオブジェクトを感知して感知持続時間が２秒未満であれば、落葉、雪、雨などを感知したと判断し、感知持続時間が２秒以上であれば、歩行者を感知したと判断するだろう。
【００７３】
また、別の方法として、前記歩行者／落葉識別部７０は、感知持続時間チェック部８０の感知持続時間が設定した時間未満であれば、歩行者が車道１０から人道１１に進入したと識別し、設定した時間以上であれば、歩行者が人道１１から安全線１５に進入したと識別し、
前記制御部４１は、歩行者／落葉識別部７０で歩行者が車道１０から人道１１に進入したと識別すると、音響出力部４０を介して、それに対応する案内音声または警告音が出力されるようにし或いは出力されないようにすることができるだろう。
【００７４】
また、歩行者感知部２０が感知したオブジェクトが落葉なのか、歩行者が車道１０から人道１１に進入したのか、歩行者が人道１１から安全線１５に進入したのかを判断するためのものであって、落葉が歩行者感知区域を通過して落ちる場合は２秒未満であり、歩行者が車道１０から人道に進入しながら歩行者感知区域を通過する時間は２秒〜３秒の間であり、歩行者が人道１１から安全線１５に進入した状態では３秒以上止まるだろう。
【００７５】
したがって、前記感知持続時間チェック部８０は、歩行者感知持続時間を３段階でチェックすることができるように、第１時間８０−１と第２時間８０−２をチェックすることをさらに含み、
前記歩行者／落葉識別部７０は、感知持続時間チェック部８０の感知持続時間が設定した第１時間８０−１未満であれば、落葉を感知したと識別し、設定した第１時間８０−１と設定した第２時間８０−２との間であれば、歩行者が車道１０から人道１１に進入したと識別し、設定した第２時間８０−２以上であれば、歩行者が人道１１から安全線１５に進入したと識別し、
前記制御部４１は、歩行者／落葉識別部７０で落葉を感知したと識別すると、音響出力部４０を介して案内音声または警告音が出力されないようにし、歩行者が車道１０から人道１１に進入したと識別すると、音響出力部４０を介して、それに対応する案内音声または警告音が出力されるようにし或いは出力されないようにし、歩行者が人道１１から安全線１５に進入したと識別すると、音響出力部を介して、それに対応する案内音声または警告音が出力されるようにすることができる。
【００７６】
また、歩行者／落葉識別部７０は、感知持続時間チェック部８０からの信号を受け取り、歩行者が安全線１５に進入したのか、或いは落葉、雪、雨などを感知したのか、或いは歩行者が人道１１から安全線１５に進入したのか、或いは車道１０から人道１１に進入したのかを識別するための役目をする。歩行者／落葉識別部７０および感知持続時間チェック部８０は、ハードウェア的またはソフトウェア的に処理することができ、制御部４１内に一体に形成するか、或いは制御部４１とは別に外部に形成することができる。
【００７７】
また、本発明において、「視覚障害者向けシステム」とは、横断歩道で視覚障害者に歩行者信号灯１２の信号状態を音声で案内するシステムをいい、「視覚障害者システム音声案内感知部」とは、視覚障害者向けシステムが音声案内中なのかを感知するものをいい、「視覚障害者システム音声案内有無識別部」とは、視覚障害者システム音声案内感知部からの信号を受け取り、視覚障害者向けシステムが視覚障害者に音声案内中なのかそうでないのかを識別するものをいう。
【００７８】
横断歩道で視覚障害者に歩行者信号灯の信号状態音声案内と歩行者が安全線１５に進入したときの案内音声とが重複しないようにしたり、視覚障害者案内音声を優先的に作動するようにしたりするために、横断歩道に設置されている視覚障害者向けシステム（図示せず）が視覚障害者音声案内中なのかを感知する視覚障害者システム音声案内感知部７１と、
前記視覚障害者システム音声案内感知部７１からの信号を受け取り、視覚障害者システムが音声案内中なのかそうでないのかを識別する視覚障害者システム音声案内有無識別部７２をさらに含むことを特徴とし、視覚障害者システム音声案内感知部７１が視覚障害者向けシステムの音声案内中であることを感知することは、音感知やシステム作動感知などの方法で行われ得る。
【００７９】
また、前記制御部４１は、前記視覚障害者システム音声案内有無識別部７２の音声案内中には歩行者が安全線１５に進入したときの案内音声または警告音が出力されないようにして、視覚障害者に混沌が生じることを予防しなければならない。
【００８０】
視覚障害者システム音声案内感知部７１および視覚障害者システム音声案内有無識別部７２は、ハードウェア的またはソフトウェア的に処理することができ、制御部４１内に一体に形成するか、或いは制御部４１とは別に外部に形成することができる。
【００８１】
本発明の一実施例は例示の目的のために開示されたものであり、本発明の技術分野における通常の知識を有する者であれば、本発明の思想と範囲内で様々な修正、変更、付加が可能であり、それらの修正、変更および付加も請求の範囲に属すると見なすべきである。
【符号の説明】
【００８２】
１０    車道
１１    人道
１１−１    車道と人道との境界線
１２    歩行者信号灯
１３    横断歩道
１４    歩行者感知部の支柱
１４−１    歩行者感知部の支柱
１５    安全線
２０    歩行者感知部
２０−１    歩行者一般感知部
２０−２    単方向赤外線
２１    第１感知部
２２    第２感知部
２１ｈ    第１感知発光部
２１ｋ    第１感知受光部
２２ｈ    第２感知発光部
２２ｋ    第２感知受光部
２３    第３感知部
２４    第４感知部
２０ａ    赤外線センサー
２１ａ    第１赤外線
２２ａ    第２赤外線
２３ａ    第３赤外線
２４ａ    第４赤外線
４０    音響出力部
４１    制御部
４１−１    信号受信部
４１−２    進入方向判断部
４１−３    音響出力指示部
４１−４    感知持続時間チェック部
４２    信号識別部
４３    歩行者進入方向識別部
５０    信号灯感知部
５１    信号灯カップリング感知部
５２    信号灯照明センサー感知部
５３    信号灯電源ケーブル直接連結感知部
６１    信号灯電源ケーブル
６２    信号灯制御部
７０    歩行者／落葉識別部
７１    視覚障害者システム音声案内感知部
７２    視覚障害者システム音声案内有無識別部
８０    感知持続時間チェック部
８０−１    第１時間
８０−２    第２時間
【図１】
0006502524.tif 000002
【図２】
0006502524.tif 000003
【図３】
0006502524.tif 000004
【図４】
0006502524.tif 000005
【図５】
0006502524.tif 000006
【図６】
0006502524.tif 000007
【図７】
0006502524.tif 000008
【図８】
0006502524.tif 000009
【図９】
0006502524.tif 000010
【図１０】
0006502524.tif 000011